(57)【要約】【課題】庭やベランダに敷いて装飾する敷ユニットで、設置作業性、装飾性、および機能性に優れるものを提供する。【解決手段】敷ユニット１０は、複数のフロアユニット１２と、底面２２、側面２４、および上面２６で囲まれた空間２８を備える一以上の収納ユニット１４とが並べて敷かれる。フロアユニット１２は、板状の断熱性樹脂からなる基台１８と、基台１８上に並べて固定された複数の板状の床材２０とを備える。収納ユニット１４の底面は、フロアユニット１２の底面と同じ形状、またはフロアユニット１２の底面を複数合わせた形状を有する。収納ユニット１４の底面２２、側面２４、および上面２６の主成分は断熱性樹脂である。収納ユニット１４の空間２８には、防災用品が収納できる。【選択図】図３
0003177354.tif 000002
【実用新案登録請求の範囲】
【請求項１】
複数のフロアユニットと、底面、側面、および上面で囲まれた空間を備える一以上の収納ユニットとが並べて敷かれる敷ユニットであって、
前記フロアユニットは、板状の断熱性樹脂からなる基台と、前記基台上に並べて固定された複数の板状の床材とを備え、
前記収納ユニットの底面は、前記フロアユニットの底面と同じ形状、または前記フロアユニットの底面を複数合わせた形状を有し、
前記収納ユニットの底面、側面、および上面の主成分が断熱性樹脂である敷ユニット。
【請求項２】
請求項１において、
並べて敷かれた前記複数のフロアユニットと一以上の収納ユニットを囲む周囲部材を更に有する敷ユニット。
【請求項３】
請求項１または２において、
前記収納ユニットは、前記上面が前記側面から分離できる敷ユニット。
【請求項４】
請求項１から３のいずれかにおいて、
前記収納ユニットの前記空間に防災用品が収納される敷ユニット。
【考案の詳細な説明】
【技術分野】
【０００１】
本考案は、庭やベランダ等に敷いて装飾する敷ユニットに関するものである。
【背景技術】
【０００２】
レンガやタイル等の床材を庭に敷いて装飾することが行われている。一般にレンガやタイルは、庭に敷かれたコンクリート上に一個一個設置されて、全体の装飾フロアが完成する。したがって、装飾フロアの施工に時間がかかる。レンガやタイルが台紙に複数並べられたユニットレンガやユニットタイルを用いれば施工時間が短縮できるが、運搬やコンクリート上への設置に注意が必要であり、作業性の更なる向上が望まれている。
【考案の概要】
【考案が解決しようとする課題】
【０００３】
本考案はこのような事情に鑑みてなされたものであり、設置作業性、装飾性、および機能性に優れた敷ユニットを提供することを目的とする。
【課題を解決するための手段】
【０００４】
本考案の敷ユニットは、複数のフロアユニットと、底面、側面、および上面で囲まれた空間を備える一以上の収納ユニットとが並べて敷かれる敷ユニットであって、フロアユニットは、板状の断熱性樹脂からなる基台と、基台上に並べて固定された複数の板状の床材とを備え、収納ユニットの底面は、フロアユニットの底面と同じ形状、またはフロアユニットの底面を複数合わせた形状を有し、収納ユニットの底面、側面、および上面の主成分が断熱性樹脂である。
【０００５】
本考案の敷ユニットにおいて、並べて敷かれた複数のフロアユニットと一以上の収納ユニットを囲む周囲部材を更に有していてもよい。本考案の敷ユニットにおいて、収納ユニットは、上面が側面から分離できることが好ましい。本考案の敷ユニットにおいて、収納ユニットの空間に防災用品が収納されてもよい。
【考案の効果】
【０００６】
本考案によれば、設置作業性、装飾性、および機能性に優れた敷ユニットが得られる。
【図面の簡単な説明】
【０００７】
【図１】本考案の実施形態に係る敷ユニットの平面図である。
【図２】本考案の実施形態に係る敷ユニットの正面図である。
【図３】本考案の実施形態に係る敷ユニットの断面模式図である。
【図４】本考案の他の実施形態に係る収納ユニットの斜視図である。
【考案を実施するための形態】
【０００８】
以下、本考案の敷ユニットについて、図面を参照しながら実施形態に基づいて説明する。なお、図面は、敷ユニットおよび敷ユニットを構成する各部材を模式的に表したものであり、これらの実物の寸法および寸法比は、図面上の寸法および寸法比と必ずしも一致していない。また、重複説明は適宜省略し、同一部材には同一符号を付与することがある。
【０００９】
図１は、本考案の実施形態に係る敷ユニット１０の平面図である。図２は、敷ユニット１０の正面図である。図３は、図１の敷ユニット１０をＡ−Ａ線で切断したときの断面模式図である。敷ユニット１０は、図１に示すように、２４個のフロアユニット１２と、１個の収納ユニット１４とを並べて敷いたものである。本実施形態では、敷ユニット１０は、フロアユニット１２と収納ユニットを囲む周囲部材１６を更に有する。なお、本考案の敷ユニット１０では、フロアユニット１２と収納ユニット１４の配置や数量等は、本実施形態に限定されない。
【００１０】
フロアユニット１２は、図１から図３に示すように、板状の断熱性樹脂からなる基台１８と、基台１８上に並べて固定された複数の板状の床材２０とを備える。基台１８は、例えば、縦が約４５０ｍｍ、横が約４５０ｍｍ、厚さが約４０ｍｍの正方形板の形状を有する。基台１８の材質としては、発泡スチロール、発泡フェノール、発泡ウレタン等が挙げられる。このように基台１８が断熱性樹脂から構成されるため、フロアユニット１２の軽量化、耐久化、低価格化が図れる。軽量化されたフロアユニット１２によって、敷ユニット１０の設置作業の効率化が図れる。
【００１１】
また、基台１８が断熱性樹脂から構成されるため、敷ユニット１０を設置した後、基台１８の下地からの冷気や熱気が、床材２０の上方に伝達するのを抑えられる。したがって、機能性に優れた敷ユニット１０が得られる。床材２０は、例えば、縦が約９０ｍｍ、横が約９０ｍｍ、厚さが約７ｍｍの正方形板の形状を有する。本実施形態では、基台１８上に縦５列、横５行の計２５枚の床材２０が並べられ、接着剤によって固定されている。
【００１２】
床材２０の材質としては、ポリスチレンやポリエチレンテレフタレート等の樹脂、木材、木材入り樹脂、タイル、セラミックス等が挙げられる。このように基台１８上に床材２０が並べて固定されているため、フロアユニット１２の表面の床材２０は、現場で施工された床材と比べて整然となっている。したがって、装飾性に優れた敷ユニット１０が得られる。基台１８や床材２０の大きさ、形状、数量、材質等は本実施形態に限定されない。
【００１３】
収納ユニット１４は、図１から図３に示すように、１枚の底面２２、４枚の側面２４，２４，２４，２４、および１枚の上面２６で囲まれた空間２８を備える。収納ユニット１４は、テーブルとしても機能する。底面２２、側面２４、および上面２６の主成分は断熱性樹脂である。すなわち、底面２２、側面２４、および上面２６は、板状の断熱性樹脂の少なくとも一部の表面に防水塗装した部材から構成される。このように、底面２２、側面２４、および上面２６の母材が断熱性樹脂からなることが好ましい。断熱性樹脂としては、発泡スチロール、発泡フェノール、発泡ウレタン等が挙げられる。
【００１４】
底面２２は、例えば、縦が約４５０ｍｍ、横が約４５０ｍｍ、厚さが約４０ｍｍの正方形板形状を有する。本実施形態では、このように収納ユニット１４の底面が、フロアユニット１２の底面と同じ形状を有している。これに代えて、収納ユニット１４の底面が、フロアユニットの底面を複数合わせた形状を有していてもよい。これらの底面を有する収納ユニット１４を、一以上のフロアユニット１２と置き換えるだけで、バリエーション豊富な敷ユニットが作製できる。
【００１５】
側面２４は、例えば、縦（高さ）が約７００ｍｍ、横が約４５０ｍｍ、厚さが約４０ｍｍの長方形板の形状を有する。上面２６は、図３に示すように、例えば、縦が約６３０ｍｍ、横が約６３０ｍｍ、厚さが約４７ｍｍの正方形板の底部から、縦が約３７０ｍｍ、横が約３７０ｍｍ、厚さが約４０ｍｍの正方形板が突出したような形状を有する。この突出部は、側面２４，２４，２４，２４の内側に密着される大きさである。このように、収納ユニット１４は、上面２６が側面２４，２４，２４，２４から分離できるように、すなわち、上面２６が取り外せるようになっている。
【００１６】
収納ユニット１４の空間２８には、防災用品が収納できる。収納ユニット１４の空間２８に防災用品を収納しておけば、非常時には、上面２６を取り外して、防災用品、例えば、非常食、飲料水、ラジオ、懐中電灯、雨具、防寒具等が入ったリュックサックをすぐに持ち出せる。また、底面２２、側面２４、および上面２６の主成分が断熱性樹脂であるため、防災用品が劣化しにくい。
【００１７】
また、収納ユニット１４の空間２８に氷や冷媒等の冷却剤を入れれば、収納ユニット１４を冷蔵庫として使用できる。すなわち、例えば、敷ユニット１０やその周辺でバーベキューを行う場合、食材や飲料を収納ユニット１４の空間２８に保存することができる。なお、本実施形態では、上面２６の上表面に縦７列、横７行の計４９枚の床材２０が並べられ、接着剤によって固定されている。このため、フロアユニット１２と収納ユニット１４は、外観上の一体感が生じる。底面２２、側面２４、および上面２６の大きさ、形状、数量、および材質等は、本実施形態に限定されない。
【００１８】
周囲部材１６は、四角柱形状を有する樹脂製や木製等の柱が複数本、例えば四本で構成され、フロアユニット１２と収納ユニット１４が動くのを抑えている。また、本実施形態では、フロアユニット１２の床材２０の上面よりも周囲部材１６の上面が高いので、フロアユニット１２への周囲からの水の浸入を抑えられる。また、基台１８や床材２０よりも耐久性に優れる材質で周囲部材１６を構成することにより、基台１８や床材２０の側面からの浸食を抑えられる。さらに、周囲部材１６を設けることによって、周囲部材１６が、敷ユニット１０と庭やベランダ等との境界のアクセントとなり装飾性に優れる。周囲部材１６として、市販のブロックやフェンス等を用いてもよい。
【００１９】
敷ユニット１０は、フロアユニット１２および収納ユニット１４を庭やベランダ等の下地に直接置いた後、これらを囲むようにアンカーボルト等で周囲部材１６を下地に固定して作製することができる。また、下地にコンクリートを敷き、その上にフロアユニット１２および収納ユニット１４を設置・固定して、これらを囲むように周囲部材１６を設けることによって敷ユニット１０を作製することもできる。さらに、フロアユニット１２および収納ユニット１４を下地に直接置いた後、これらを囲むように重い周囲部材１６を下地に設置して、敷ユニット１０を作製してもよい。最後の方法で作製した敷ユニット１０は、フロアユニット１２、収納ユニット１４、および周囲部材１６が動かせるので、後からフロアユニット１２と収納ユニット１４の配置換えができる。
【００２０】
以上、実施形態に基づいて本考案の敷ユニットを説明したが、本考案の敷ユニットは上記実施形態に限定されない。図４は、他の実施形態に係る収納ユニット３０の斜視図である。収納ユニット３０は市販の物置のような形状を有しているが、収納ユニット３０の底面、側面、および上面の主成分は断熱性樹脂である。収納ユニット３０の高さは７００ｍｍ〜１５００ｍｍであり、収納ユニット３０は敷ユニットの角部に設置される。本実施形態によれば、物置風の収納ユニット３０とフロアユニットとを統一したデザインにできるため、装飾性に優れた敷ユニットが得られる。
【００２１】
また、敷ユニットは、一部のフロアユニットに代えて、「椅子ユニット」を含んでいてもよい。椅子ユニットは、一個のフロアユニットと同じ底面を有する一人掛けタイプであってもよいし、一方向に連続する複数のフロアユニットを合わせたものと同じ底面を有する長椅子タイプであってもよい。また、敷ユニットは、一部のフロアユニットに代えて、底面と側面から構成され、上部が開放された中空の「植栽ユニット」を含んでいてもよい。植栽ユニットの内部に土と花木を収納すれば、花壇を備える美しい敷ユニットが得られる。また、敷ユニットは、周囲にフェンス、上部に屋根を有していてもよい。フェンスや屋根によって、目隠し、日よけ、風よけ、雪雨よけ等ができる。
【符号の説明】
【００２２】
１０…敷ユニット、  １２…フロアユニット、  １４，３０…収納ユニット、  １８…基台、  ２０…床材、  ２２…底面、  ２４…側面、  ２６…上面、  ２８…空間
【図１】
0003177354.tif 000003
【図２】
0003177354.tif 000004
【図３】
0003177354.tif 000005
【図４】
0003177354.tif 000006
【手続補正書】
【提出日】平成24年5月29日(2012.5.29)
【手続補正１】
【補正対象書類名】明細書
【補正対象項目名】０００５
【補正方法】変更
【補正の内容】
【０００５】
本考案の敷ユニットにおいて、並べて敷かれた複数のフロアユニットと一以上の収納ユニットを囲む周囲部材を更に有していてもよい。本考案の敷ユニットにおいて、収納ユニットは、上面が側面から分離できることが好ましい。本考案の敷ユニットにおいて、収納ユニットの空間に防災用品が収納されていてもよい。
【手続補正２】
【補正対象書類名】実用新案登録請求の範囲
【補正対象項目名】請求項４
【補正方法】変更
【補正の内容】
【請求項４】
請求項１から３のいずれかにおいて、
前記収納ユニットの前記空間に防災用品が収納されている敷ユニット。